(57)【要約】      （修正有）【課題】処理部の稼働状態に基づいて冷却部を必要最小限の冷却状態で駆動することにより、静音化を図るとともに消費電力を低減することができる貨幣処理機および貨幣処理方法を提供する。【解決手段】貨幣処理機１０は、処理部を冷却する冷却部（例えば、送風機構３０、３２）と、処理部の稼働状態を検知する稼働状態検知部２２と、処理部により貨幣の処理が行われた後に冷却部により処理部を冷却する貨幣処理後運転を行う制御部２０とを備えている。制御部２０は、貨幣処理後運転が行われる際に、稼働状態検知部２２により検知された処理部の稼働状態に基づいて冷却部による冷却状態を調整する。【選択図】図５
2015222516.tif 000002
【特許請求の範囲】
【請求項１】
貨幣の処理を行う処理部と、
前記処理部を冷却する冷却部と、
前記処理部の稼働状態を検知する稼働状態検知部と、
前記処理部により貨幣の処理が行われた後に前記冷却部により前記処理部を冷却する貨幣処理後運転を行う制御部であって、前記貨幣処理後運転が行われる際に、前記稼働状態検知部により検知された前記処理部の稼働状態に基づいて前記冷却部による冷却状態を調整する制御部と、
を備えた、貨幣処理機。
【請求項２】
前記稼働状態検知部は、前記処理部の稼働状態として貨幣の処理内容および処理時間を検知するようになっており、
前記制御部は、前記貨幣処理後運転が行われる際に、前記稼働状態検知部により検知された、貨幣の処理内容および処理時間に基づいて前記冷却部による冷却状態を調整するようになっている、請求項１記載の貨幣処理機。
【請求項３】
貨幣の各処理内容に対応する単位時間あたりの消費電力に係る情報を記憶する記憶部を更に備え、
前記制御部は、前記稼働状態検知部により検知された、貨幣の処理内容および処理時間と、前記記憶部に記憶された単位時間あたりの消費電力に係る情報とに基づいて蓄熱量を算出し、前記貨幣処理後運転が行われる際に、前記蓄熱量に基づいて前記冷却部による冷却状態を調整するようになっている、請求項２記載の貨幣処理機。
【請求項４】
前記貨幣処理機は異なる種類の貨幣の処理を行う複数の構成ユニットを有しており、
前記稼働状態検知部は、前記処理部の稼働状態として前記処理部が設けられた構成ユニットの種類および処理時間を検知するようになっており、
前記制御部は、前記貨幣処理後運転が行われる際に、前記稼働状態検知部により検知された、前記処理部が設けられた構成ユニットの種類および処理時間に基づいて前記冷却部による冷却状態を調整するようになっている、請求項１記載の貨幣処理機。
【請求項５】
複数の前記構成ユニットは、紙幣の処理を行う紙幣処理ユニットおよび硬貨の処理を行う硬貨処理ユニットを少なくとも有しており、
前記制御部は、前記紙幣処理ユニットと前記硬貨処理ユニットとで異なる冷却状態となるよう前記冷却部による冷却状態を調整するようになっている、請求項４記載の貨幣処理機。
【請求項６】
前記冷却部は、前記貨幣処理機の機体内に風を送る送風機構を有しており、
前記制御部は、前記貨幣処理後運転が行われる際に、前記稼働状態検知部により検知された前記処理部の稼働状態に基づいて前記送風機構の送風状態を調整する、請求項１乃至５のいずれか一項に記載の貨幣処理機。
【請求項７】
前記制御部は、前記貨幣処理後運転が行われる際に、前記送風機構の前記送風状態として送風時間および／または送風量を調整するようになっている、請求項６記載の貨幣処理機。
【請求項８】
前記制御部は、前記貨幣処理後運転が行われた後に、当該貨幣処理後運転が行われる際の前記送風機構の送風量よりも小さな送風量で前記送風機構により機体内に風を送る待機運転を行うようになっている、請求項６または７記載の貨幣処理機。
【請求項９】
前記制御部は、前記処理部により貨幣の処理が行われている間に、前記貨幣処理後運転が行われる際の前記送風機構の送風量よりも大きな送風量で前記送風機構により機体内に風を送る装置稼働中運転を行うようになっている、請求項６乃至８のいずれか一項に記載の貨幣処理機。
【請求項１０】
前記冷却部は、前記貨幣処理機の機体内の空気を排気する排気機構を有しており、
前記制御部は、前記貨幣処理後運転が行われる際に、前記稼働状態検知部により検知された前記処理部の稼働状態に基づいて前記排気機構の排気状態を調整する、請求項１乃至５のいずれか一項に記載の貨幣処理機。
【請求項１１】
前記制御部は、前記貨幣処理後運転が行われる際に、前記排気機構の前記排気状態として排気時間および／または排気量を調整するようになっている、請求項１０記載の貨幣処理機。
【請求項１２】
貨幣処理機の処理部により貨幣の処理を行う工程と、
前記処理部の稼働状態を検知する工程と、
前記処理部により貨幣の処理が行われた後に冷却部により前記処理部を冷却する貨幣処理後運転を行う工程と、
を備え、
前記貨幣処理後運転が行われる際に、検知された前記処理部の稼働状態に基づいて前記冷却部による冷却状態を調整する、貨幣処理方法。
【請求項１３】
前記冷却部は、前記貨幣処理機の機体内に風を送る送風機構を有しており、
前記貨幣処理後運転が行われる際に、検知された前記処理部の稼働状態に基づいて前記送風機構の送風状態を調整することにより前記冷却部による冷却状態を調整する、請求項１２記載の貨幣処理方法。
【請求項１４】
前記冷却部は、前記貨幣処理機の機体内の空気を排気する排気機構を有しており、
前記貨幣処理後運転が行われる際に、検知された前記処理部の稼働状態に基づいて前記排気機構の排気状態を調整することにより前記冷却部による冷却状態を調整する、請求項１２記載の貨幣処理方法。
【発明の詳細な説明】
【技術分野】
【０００１】
本発明は、送風機構や排気機構等の冷却部によって、貨幣の処理を行う処理部を冷却する貨幣処理機およびこのような貨幣処理機による貨幣処理方法に関する。
【背景技術】
【０００２】
貨幣の処理を行う貨幣処理機において、機体内の温度を一定値以下に抑制するために、ファン等の送風機構によって機体内に風を送ることにより、貨幣の処理を行う処理部（具体的には、入金口に投入された貨幣を機体内に繰り出す繰出部や機体内で貨幣を搬送する搬送部等）を冷却する技術が従来から用いられている。例えば、特許文献１に開示されるような電子機器の冷却装置では、装置の内部の温度を検出する温度センサが設けられており、この温度センサにより検知された装置の内部の温度に基づいてファンが駆動されるようになっている。
【先行技術文献】
【特許文献】
【０００３】
【特許文献１】特開２００２−１５７０４９号公報
【発明の概要】
【発明が解決しようとする課題】
【０００４】
特許文献１に開示されるような電子機器の冷却装置を用いて貨幣処理機の機体内の冷却を行う場合において、発熱部品が貨幣処理機の機体内に複数存在するときには各発熱部品に対応して温度センサを設ける必要があり、温度センサの設置費用が高くなってしまうという問題がある。とりわけ、複雑な構成の貨幣処理機では、発熱部品が機体内に数十箇所設置される場合もあり、これらの発熱部材に対応して温度センサを設置することによりファンを制御する方法は現実的ではない。また、温度センサにより検知された装置の内部の温度に基づいてファンを駆動する方法では、必要以上にファンを駆動してしまう場合があり、ファンの回転音が周囲の人に不快感を与えてしまったり装置の消費電力が大きくなってしまったりするという問題がある。
【０００５】
本発明は、このような点を考慮してなされたものであり、処理部の稼働状態に基づいて冷却部を必要最小限の冷却状態で駆動することにより、静音化を図るとともに消費電力を低減することができる貨幣処理機および貨幣処理方法を提供することを目的とする。
【課題を解決するための手段】
【０００６】
本発明の貨幣処理機は、貨幣の処理を行う処理部と、前記処理部を冷却する冷却部と、前記処理部の稼働状態を検知する稼働状態検知部と、前記処理部により貨幣の処理が行われた後に前記冷却部により前記処理部を冷却する貨幣処理後運転を行う制御部であって、前記貨幣処理後運転が行われる際に、前記稼働状態検知部により検知された前記処理部の稼働状態に基づいて前記冷却部による冷却状態を調整する制御部と、を備えたことを特徴とする。
【０００７】
このような貨幣処理機によれば、処理部により貨幣の処理が行われた後の貨幣処理後運転において、当該貨幣処理後運転が行われる前の処理部の稼働状態に基づいて冷却部による冷却状態を調整することにより、冷却部を必要最小限の冷却状態で駆動することができ、よって静音化を図るとともに消費電力を低減することができる。
【０００８】
本発明の貨幣処理機においては、前記稼働状態検知部は、前記処理部の稼働状態として貨幣の処理内容および処理時間を検知するようになっており、前記制御部は、前記貨幣処理後運転が行われる際に、前記稼働状態検知部により検知された、貨幣の処理内容および処理時間に基づいて前記冷却部による冷却状態を調整するようになっていてもよい。
【０００９】
この場合、本発明の貨幣処理機は、貨幣の各処理内容に対応する単位時間あたりの消費電力に係る情報を記憶する記憶部を更に備え、前記制御部は、前記稼働状態検知部により検知された、貨幣の処理内容および処理時間と、前記記憶部に記憶された単位時間あたりの消費電力に係る情報とに基づいて蓄熱量を算出し、前記貨幣処理後運転が行われる際に、前記蓄熱量に基づいて前記冷却部による冷却状態を調整するようになっていてもよい。
【００１０】
本発明の貨幣処理機においては、前記貨幣処理機は異なる種類の貨幣の処理を行う複数の構成ユニットを有しており、前記稼働状態検知部は、前記処理部の稼働状態として前記処理部が設けられた構成ユニットの種類および処理時間を検知するようになっており、前記制御部は、前記貨幣処理後運転が行われる際に、前記稼働状態検知部により検知された、前記処理部が設けられた構成ユニットの種類および処理時間に基づいて前記冷却部による冷却状態を調整するようになっていてもよい。
【００１１】
この場合、複数の前記構成ユニットは、紙幣の処理を行う紙幣処理ユニットおよび硬貨の処理を行う硬貨処理ユニットを少なくとも有しており、前記制御部は、前記紙幣処理ユニットと前記硬貨処理ユニットとで異なる冷却状態となるよう前記冷却部による冷却状態を調整するようになっていてもよい。
【００１２】
本発明の貨幣処理機においては、前記冷却部は、前記貨幣処理機の機体内に風を送る送風機構を有しており、前記制御部は、前記貨幣処理後運転が行われる際に、前記稼働状態検知部により検知された前記処理部の稼働状態に基づいて前記送風機構の送風状態を調整するようになっていてもよい。
【００１３】
この場合、前記制御部は、前記貨幣処理後運転が行われる際に、前記送風機構の前記送風状態として送風時間および／または送風量を調整するようになっていてもよい。
【００１４】
また、前記制御部は、前記貨幣処理後運転が行われた後に、当該貨幣処理後運転が行われる際の前記送風機構の送風量よりも小さな送風量で前記送風機構により機体内に風を送る待機運転を行うようになっていてもよい。
【００１５】
また、前記制御部は、前記処理部により貨幣の処理が行われている間に、前記貨幣処理後運転が行われる際の前記送風機構の送風量よりも大きな送風量で前記送風機構により機体内に風を送る装置稼働中運転を行うようになっていてもよい。
【００１６】
本発明の貨幣処理機においては、前記冷却部は、前記貨幣処理機の機体内の空気を排気する排気機構を有しており、前記制御部は、前記貨幣処理後運転が行われる際に、前記稼働状態検知部により検知された前記処理部の稼働状態に基づいて前記排気機構の排気状態を調整するようになっていてもよい。
【００１７】
この場合、前記制御部は、前記貨幣処理後運転が行われる際に、前記排気機構の前記排気状態として排気時間および／または排気量を調整するようになっていてもよい。
【００１８】
本発明の貨幣処理方法は、貨幣処理機の処理部により貨幣の処理を行う工程と、前記処理部の稼働状態を検知する工程と、前記処理部により貨幣の処理が行われた後に冷却部により前記処理部を冷却する貨幣処理後運転を行う工程と、を備え、前記貨幣処理後運転が行われる際に、検知された前記処理部の稼働状態に基づいて前記冷却部による冷却状態を調整することを特徴とする。
【００１９】
このような貨幣処理方法によれば、処理部により貨幣の処理が行われた後の貨幣処理後運転において、当該貨幣処理後運転が行われる前の処理部の稼働状態に基づいて冷却部による冷却状態を調整することにより、冷却部を必要最小限の冷却状態で駆動することができ、よって静音化を図るとともに消費電力を低減することができる。
【００２０】
本発明の貨幣処理方法においては、前記冷却部は、前記貨幣処理機の機体内に風を送る送風機構を有しており、前記貨幣処理後運転が行われる際に、検知された前記処理部の稼働状態に基づいて前記送風機構の送風状態を調整することにより前記冷却部による冷却状態を調整するようになっていてもよい。
【００２１】
あるいは、前記冷却部は、前記貨幣処理機の機体内の空気を排気する排気機構を有しており、前記貨幣処理後運転が行われる際に、検知された前記処理部の稼働状態に基づいて前記排気機構の排気状態を調整することにより前記冷却部による冷却状態を調整するようになっていてもよい。
【発明の効果】
【００２２】
本発明の貨幣処理機および貨幣処理方法によれば、処理部の稼働状態に基づいて冷却部を必要最小限の冷却状態で駆動することにより、静音化を図るとともに消費電力を低減することができる。
【図面の簡単な説明】
【００２３】
【図１】本発明の実施の形態による貨幣処理機の構成を示す斜視図である。
【図２】図１に示す貨幣処理機における紙幣処理装置の内部構成を示す構成図である。
【図３】図１に示す貨幣処理機における硬貨処理装置の内部構成を示す構成図である。
【図４】図３に示す硬貨処理装置における硬貨搬送部の上面図である。
【図５】図１に示す貨幣処理機の制御系の構成を示す機能ブロック図である。
【図６Ａ】図１に示す貨幣処理機の稼働状態に対応する送風機構の送風量を示すグラフである。
【図６Ｂ】図１に示す貨幣処理機において貨幣処理後運転が行われる最中に紙幣処理装置や硬貨処理装置において紙幣や硬貨の処理が再び行われた場合の送風機構の送風量を示すグラフである。
【図７】変形例に係る貨幣釣銭機の構成を示す斜視図である。
【図８】図７に示す貨幣釣銭機における紙幣処理装置および硬貨処理装置の内部構成を示す構成図である。
【図９】図７に示す貨幣釣銭機の制御系の構成を示す機能ブロック図である。
【発明を実施するための形態】
【００２４】
以下、図面を参照して本発明の実施の形態について説明する。図１乃至図５、図６Ａおよび図６Ｂは、本実施の形態による貨幣処理機を示す図である。このうち、図１は、本実施の形態による貨幣処理機の構成を示す斜視図であり、図２および図３は、それぞれ、図１に示す貨幣処理機における紙幣処理装置および硬貨処理装置の内部構成を示す構成図である。また、図４は、図３に示す硬貨処理装置における硬貨搬送部の上面図である。また、図５は、図１に示す貨幣処理機の制御系の構成を示す機能ブロック図である。また、図６Ａは、図１に示す貨幣処理機の稼働状態に対応する送風機構の送風量を示すグラフであり、図６Ｂは、図１に示す貨幣処理機において貨幣処理後運転が行われる最中に紙幣処理装置や硬貨処理装置において紙幣や硬貨の処理が再び行われた場合の送風機構の送風量を示すグラフである。
【００２５】
まず、図１を用いて本実施の形態による貨幣処理機１０の全体構成について説明する。図１に示すように、本実施の形態による貨幣処理機１０は略直方体形状の筐体１２を有しており、当該貨幣処理機１０において紙幣処理装置１００および硬貨処理装置２００が並列に配設されている。より詳細には、本実施の形態による貨幣処理機１０を正面側から見て左側に紙幣処理装置１００が配置されているとともに右側に硬貨処理装置２００が配置されている。ここで、紙幣処理装置１００は、紙幣の入出金処理等を行う紙幣入出金装置であり、硬貨処理装置２００は、硬貨の入出金処理等を行う硬貨入出金装置である。
【００２６】
図１に示すように、紙幣処理装置１００の前面には上方から順に紙幣入金口１０２および紙幣出金口１０４が設けられている。また、紙幣処理装置１００の前面において紙幣出金口１０４の下方には紙幣収納カセット１１０が貨幣処理機１０の筐体１２に対して着脱自在に設置されている。このような紙幣収納カセット１１０は紙幣処理装置１００の高さ方向における中間位置に配置されている。また、紙幣処理装置１００の前面において紙幣収納カセット１１０の更に下方には出金リジェクト部１１４が設けられている。
【００２７】
また、図１に示すように、硬貨処理装置２００の前面上部には硬貨入金口２０２が設けられており、この硬貨処理装置２００の前面中段には硬貨出金ボックス２３６が貨幣処理機１０の筐体１２に対して着脱自在に設置されている。ここで、紙幣処理装置１００の機体内に紙幣を投入するための紙幣入金口１０２と、硬貨処理装置２００の機体内に硬貨を投入するための硬貨入金口２０２とが、貨幣処理機１０の高さ方向における略同一位置に配置されている。
【００２８】
また、図１に示すように、貨幣処理機１０の上面前方の両端部にはそれぞれ第１の占有ボタン１４および第２の占有ボタン１６が設けられている。銀行等の金融機関において、図１に示す貨幣処理機１０が窓口の２人のテラーの間に配置され、２人のテラーにより貨幣処理機１０の双頭運用が行われる場合には、各テラーは対応する占有ボタン１４、１６を押下することにより、貨幣処理機１０の占有を行うことができるようになる。
【００２９】
本実施の形態の貨幣処理機１０においては、紙幣処理装置１００の機体から着脱自在となっている紙幣収納カセット１１０と、硬貨処理装置２００の硬貨回収カセット２３７（後述）とを一体的に引き出すことができるようになっている。より詳細には、紙幣収納カセット１１０および硬貨回収カセット２３７は貨幣処理機１０における同じ載せ台（図示せず）に載せられており、貨幣処理機１０の筐体１２の前面からこの載せ台を水平方向における手前側に引き出した後、紙幣収納カセット１１０および硬貨回収カセット２３７をそれぞれ当該載せ台から取り出すことができるようになっている。
【００３０】
次に、本実施の形態の貨幣処理機１０における紙幣処理装置１００の構成について図２を用いて説明する。図２は、図１に示す貨幣処理機１０における紙幣処理装置１００の内部構成を示す構成図である。図２に示すように、紙幣処理装置１００の紙幣入金口１０２には紙幣搬送部１０６が接続されており、紙幣入金口１０２に投入された紙幣は図示しない繰出機構によって紙幣搬送部１０６に１枚ずつ繰り出され、当該紙幣搬送部１０６により紙幣が１枚ずつ搬送されるようになっている。また、紙幣搬送部１０６には識別部１０８が設けられており、当該紙幣搬送部１０６により搬送される紙幣は識別部１０８によりその金種、真偽、正損、表裏等の識別が行われるようになっている。
【００３１】
また、紙幣搬送部１０６には紙幣出金口１０４、五千円紙幣用集積部１１２、出金リジェクト部１１４、千円紙幣用集積部１１６、一万円紙幣用集積部１１８がそれぞれ接続されており、紙幣搬送部１０６からこれらの紙幣出金口１０４、五千円紙幣用集積部１１２、出金リジェクト部１１４、千円紙幣用集積部１１６、一万円紙幣用集積部１１８の各々に紙幣を送って集積させることができるようになっている。なお、五千円紙幣用集積部１１２は紙幣収納カセット１１０内に設けられており、紙幣処理装置１００の前面から紙幣収納カセット１１０を引き出すと、操作者は五千円紙幣用集積部１１２内にアクセスすることができるようになる。また、この五千円紙幣用集積部１１２には、五千円札だけではなく二千円札も集積させることができるようになっている。また、本実施の形態では、五千円紙幣用集積部１１２、千円紙幣用集積部１１６および一万円紙幣用集積部１１８の各々の設置箇所は図２に示すような場所に限定されることはなく、これらの集積部１１２、１１６、１１８に集積されるべき紙幣の金種を他の金種に変更することも可能である。
【００３２】
本実施の形態の紙幣処理装置１００では、図２に示すように、紙幣処理装置１００の奥行き方向における、紙幣処理装置１００の機体から着脱自在となっている紙幣収納カセット１１０よりも奥側に、紙幣搬送部１０６におけるループ形状の搬送路１０６ａが配設されており、このループ形状の搬送路１０６ａに識別部１０８が設けられている。
【００３３】
また、図２では図示していないが、五千円紙幣用集積部１１２、千円紙幣用集積部１１６および一万円紙幣用集積部１１８の上方にはそれぞれ一時保留部が各集積部１１２、１１６、１１８に対応して設けられており、紙幣搬送部１０６から各一時保留部に紙幣が搬送されてこれらの一時保留部で紙幣が一時的に保留され、その後入金確定指令が紙幣処理装置１００に与えられることにより各一時保留部から対応する集積部１１２、１１６、１１８に紙幣が送られるようになっている。なお、各一時保留部に紙幣が一時的に保留された後、入金確定指令ではなく返却指令が紙幣処理装置１００に与えられると、各一時保留部から紙幣搬送部１０６を経て紙幣出金口１０４に紙幣が戻されるようになっている。
【００３４】
また、五千円紙幣用集積部１１２、千円紙幣用集積部１１６および一万円紙幣用集積部１１８にはそれぞれ繰出機構（図示せず）が設けられており、これらの五千円紙幣用集積部１１２、千円紙幣用集積部１１６および一万円紙幣用集積部１１８に集積された紙幣を当該繰出機構により紙幣搬送部１０６に１枚ずつ繰り出すことができるようになっている。また、紙幣処理装置１００の前面における出金リジェクト部１１４の設置箇所には扉が設けられており、権限を有する操作者が鍵等によりこの扉を開くことにより出金リジェクト部１１４の内部にアクセスすることができるようになっている。
【００３５】
本実施の形態の紙幣処理装置１００では、紙幣入金口１０２に投入された紙幣は、図示しない繰出機構により、その長手方向と平行な方向に沿って紙幣搬送部１０６に１枚ずつ繰り出されるようになっている。また、紙幣搬送部１０６は、紙幣の長手方向と平行な方向に沿って当該紙幣を１枚ずつ搬送するようになっている。このことにより、紙幣処理装置１００の幅の大きさをより一層小さくすることができる。なお、繰出機構による紙幣の繰出方向や紙幣搬送部１０６による紙幣の搬送方向はこのような態様に限定されることはなく、繰出機構が、紙幣の短手方向と平行な方向に沿って当該紙幣を紙幣搬送部１０６に１枚ずつ繰り出したり、紙幣搬送部１０６が、紙幣の短手方向と平行な方向に沿って当該紙幣を１枚ずつ搬送したりするようになっていてもよい。
【００３６】
また、本実施の形態では、図２に示すように、紙幣処理装置１００の各構成部材を冷却する冷却部として、紙幣処理装置１００の機体内にはファン等の送風機構３０が設けられている。送風機構３０は、紙幣処理装置１００の機体内に風を送ることにより紙幣処理装置１００の各構成部材（具体的には、紙幣入金口１０２に設けられた繰出機構、紙幣搬送部１０６、識別部１０８、五千円紙幣用集積部１１２に設けられた繰出機構、千円紙幣用集積部１１６に設けられた繰出機構、一万円紙幣用集積部１１８に設けられた繰出機構等）を冷却するようになっている。
【００３７】
次に、本実施の形態の貨幣処理機１０における硬貨処理装置２００の構成について図３および図４を用いて説明する。図３は、図１に示す貨幣処理機１０における硬貨処理装置２００の内部構成を示す構成図であり、図４は、図３に示す硬貨処理装置２００における硬貨搬送部２２０の上面図である。なお、図３における硬貨処理装置２００の左側面部は当該硬貨処理装置２００の正面側となっており、図３における右方向が硬貨処理装置２００の奥行き方向となっている。
【００３８】
図３および図４に示すように、硬貨入金口２０２の下部には硬貨繰出ベルト２０４および逆転ローラ２０５が設けられており、操作者により硬貨入金口２０２に投入された硬貨は硬貨繰出ベルト２０４により硬貨処理装置２００の奥方に繰り出され、この際に硬貨繰出ベルト２０４と逆転ローラ２０５との間の隙間を通ることにより、硬貨繰出ベルト２０４により搬送される硬貨は１枚ずつに分離されるようになる。硬貨処理装置２００の機体内において硬貨繰出ベルト２０４の奥方には硬貨搬送部２２０が設けられており、硬貨繰出ベルト２０４から硬貨搬送部２２０に硬貨が１枚ずつ受け渡され、この硬貨搬送部２２０により硬貨が更に搬送されるようになっている。
【００３９】
硬貨搬送部２２０は、硬貨処理装置２００の奥行き方向に沿って延びる搬送通路２１４を通るよう、硬貨を１枚ずつ搬送するようになっている。より詳細には、硬貨搬送部２２０は、循環移動を行う無端状の搬送ベルト２２１を有しており、この搬送ベルト２２１は、搬送通路２１４の前端および後端にそれぞれ水平方向に回転可能に軸支されたプーリ２２２によって張設されている（なお、図４では、搬送通路２１４の前端に設けられたプーリ２２２のみを図示しており、搬送通路２１４の後端に設けられたプーリ２２２の図示は省略している）。搬送ベルト２２１には内周側に歯を有するタイミングベルトが用いられ、プーリ２２２にも外周に歯を有するタイミングプーリが用いられている。また、搬送ベルト２２１の内周側には溝部が設けられ、プーリ２２２の外周には搬送ベルト２２１の溝部に係合する突起部が設けられており、プーリ２２２によって搬送ベルト２２１の高さ方向の位置が規制され、搬送ベルト２２１と搬送通路２１４の硬貨搬送面との間隔が、処理されるべき硬貨のうちの最大厚み硬貨の厚みよりも少し広い寸法に保たれている。
【００４０】
搬送ベルト２２１には、当該搬送ベルト２２１の下面から下方に向かって突出し、搬送通路２１４内の硬貨を１枚ずつ押動搬送する複数のピン（図示せず）が搬送ベルト２２１の長手方向に沿って所定の間隔毎に設けられている。複数のピンの間隔は、搬送方向前後のピン間に硬貨を１枚ずつ受け入れて搬送可能とする寸法とされている。ピンと搬送通路２１４の硬貨搬送面との間には、処理されるべき硬貨のうちの最小厚み硬貨の厚みよりも小さい寸法の間隙が空けられている。
【００４１】
このような硬貨搬送部２２０において、複数のプーリ２２２のうちある一つのプーリ２２２が駆動モータ（図示せず）によって正逆回転駆動される。そして、このような駆動モータによるプーリ２２２の駆動によって、搬送通路２１４上の搬送ベルト２２１が、搬送通路２１４の前側から後側方向へ向けた入金搬送方向Ｆ１、および搬送通路２１４の後側から前側方向へ向けた出金搬送方向Ｆ２にそれぞれ循環移動させられる。また、プーリ２２２の軸には、このプーリ２２２の回転位置を検知する検知センサが設けられており、この検知センサの検知に基づいて搬送通路２１４上における搬送ベルト２２１の位置および各ピンの位置を検知することができるようになっている。
【００４２】
また、図３および図４に示すように、硬貨搬送部２２０には、搬送通路２１４を通って搬送される硬貨の金種、真偽、正損、表裏等の識別を行う識別部２２５が設けられている。
【００４３】
また、図４に示すように、硬貨処理装置２００の奥行き方向において、硬貨搬送部２２０の搬送通路２１４における識別部２２５の奥側には、当該識別部２２５による識別結果に基づいて硬貨を金種別に分岐させる金種別の収納分岐部２４１が配設されている。さらに、搬送通路２１４の一側部には、各収納分岐部２４１に対応して金種別に硬貨を収納する複数の硬貨収納機構２４２が配設されている。具体的には、図３および図４に示すように、硬貨処理装置２００の奥行き方向に沿って６つの硬貨収納機構２４２が設けられており、これらの６つの硬貨収納機構２４２は、硬貨処理装置２００の手前側から順に（すなわち、図３における左側から順に）、１円硬貨、５円硬貨、１０円硬貨、５０円硬貨、１００円硬貨および５００円硬貨をそれぞれ収納するようになっている。
【００４４】
収納分岐部２４１は、搬送通路２１４の硬貨搬送面から上方に突出可能な振分ゲート２４５を有しており、この振分ゲート２４５は、ソレノイド等の駆動手段により、入金搬送方向Ｆ１の下流側の水平な軸を中心として入金搬送方向Ｆ１の上流側が上下に移動し、このことにより搬送通路２１４の硬貨搬送面から上方に突出することができるようになっている。ここで、振分ゲート２４５は、通常時は搬送通路２１４の硬貨搬送面の下方に退避し、この振分ゲート２４５上を硬貨が通過するようになっているが、搬送ベルト２２１により搬送される硬貨のうち、識別部２２５で該当金種と識別された硬貨が搬送されてくる所定のタイミングで、振分ゲート２４５の入金搬送方向Ｆ１の上流側が搬送通路２１４の硬貨搬送面から上方に突出し、この振分ゲート２４５により該当金種の硬貨が当該振分ゲート２４５に対応する硬貨収納機構２４２へ向けて案内される。また、硬貨収納機構２４２から搬送通路２１４に硬貨を繰り出す際にも、振分ゲート２４５が搬送通路２１４の硬貨搬送面から上方に突出した状態で、硬貨収納機構２４２から繰り出された硬貨を搬送通路２１４内に案内するようになる。なお、硬貨処理装置２００の奥行き方向における最も奥側にある搬送通路２１４の端部には振分ゲート２４５ではなく案内部材２４６が設けられており、搬送通路２１４から最も奥側にある硬貨収納機構２４２の収納筒２４８へはこの案内部材２４６により硬貨が案内されるようになっている。
【００４５】
硬貨収納機構２４２は、搬送通路２１４から硬貨を受け入れて収納するとともに、収納している硬貨を搬送通路２１４に繰り出すものである。硬貨収納機構２４２は、上下方向（鉛直方向）を集積方向として硬貨を積層状態で収納する硬貨収納部２４７を構成する収納筒２４８、および搬送通路２１４および収納筒２４８の両方に跨がった状態でそれらの上方に配置される押動部材２４９を備えている。収納筒２４８の上端は開口されており、この上端の開口から硬貨の収納および繰出が行われるようになっている。
【００４６】
押動部材２４９は、収納筒２４８の集積方向と平行な回転軸を中心に水平方向に回転する回転板２５６を有している。この回転板２５６の下面周辺部には、３つの突起が周方向に等間隔で設けられている。回転板２５６の回転軸の上端は駆動モータ２５８（図３参照）に連結されており、この駆動モータ２５８によって回転板２５６が回転可能に支持されている。
【００４７】
回転板２５６の下面と搬送通路２１４の硬貨搬送面との間には硬貨の１枚分の厚みより大きく２枚分の厚みより小さい間隙が空けられ、また、回転板２５６の突起の下面と搬送通路２１４の硬貨搬送面との間には硬貨の１枚分の厚みより小さい間隙が空けられている。したがって、回転板２５６の下側に１枚の硬貨のみが進入し、その硬貨の側面に突起が当接して押動可能となる。このようにして、回転板２５６が１２０°回転することにより１枚の硬貨の収納筒２４８への収納動作または１枚の硬貨の収納筒２４８からの繰出動作を行うようになる。
【００４８】
図３および図４に示すように、硬貨処理装置２００の奥行き方向における識別部２２５と各硬貨収納機構２４２との間には、識別部２２５で識別不能または不適切と識別されたリジェクト硬貨を硬貨搬送部２２０の搬送通路２１４から分岐するリジェクト分岐部２２７が設けられている。このリジェクト分岐部２２７は、搬送通路２１４の通路底面に形成された分岐口、およびこの分岐口を開閉してリジェクト硬貨のみを選択的に分岐させる分岐ゲートを有している。分岐ゲートは、ソレノイド等の駆動手段により、入金搬送方向Ｆ１の下流側の水平な軸を支点として入金搬送方向Ｆ１の上流側が上下に移動し、分岐口を開閉する。そして、識別部２２５で識別された硬貨が各硬貨収納機構２４２に収納される場合には、分岐ゲートによって分岐口を閉塞する状態で分岐ゲート上を硬貨が通過する。また、入金搬送方向Ｆ１に搬送される硬貨が識別部２２５でリジェクト硬貨と識別された場合には、分岐ゲートの入金搬送方向Ｆ１の上流側が上方に移動して分岐口を開放し、分岐ゲートでリジェクト硬貨を分岐口に落とし込んで分岐させる。
【００４９】
図３に示すように、リジェクト分岐部２２７の分岐口の下方には、この分岐口により分岐されたリジェクト硬貨を、硬貨処理装置２００の前面に設けられた硬貨出金ボックス２３６に導くリジェクトシュート２３１が設けられている。
【００５０】
また、図３および図４に示すように、硬貨処理装置２００の奥行き方向における硬貨繰出ベルト２０４と識別部２２５との間には、硬貨を硬貨搬送部２２０の搬送通路２１４から分岐する出金分岐部２３３が設けられている。この出金分岐部２３３は、リジェクト分岐部２２７と同様に分岐口および分岐ゲートを有しているが、分岐ゲートは、ソレノイド等の駆動手段により、出金搬送方向Ｆ２の下流側の水平な軸を支点として出金搬送方向Ｆ２の上流側が上下に移動し、分岐口を開閉するようになっている。そして、出金分岐部２３３において、硬貨が出金されない場合には、分岐ゲートによって分岐口を閉塞する状態で分岐ゲート上を硬貨が通過する。また、後述する硬貨の出金処理、返却処理および回収処理等において、分岐ゲートの出金搬送方向Ｆ２の上流側が上方に移動して分岐口を開放し、出金搬送方向Ｆ２に搬送される硬貨を分岐ゲートで分岐口に落とし込んで分岐させるようになっている。
【００５１】
出金分岐部２３３の分岐口の下方には、この分岐口により分岐された硬貨を、硬貨処理装置２００の前面に設けられた硬貨出金ボックス２３６に導く出金シュート２３５が設けられている。また、出金シュート２３５の中間部には、硬貨処理装置２００の機体内に着脱可能に配置された硬貨回収カセット２３７に硬貨を導くための回収シュート２３８が接続されている。また、出金シュート２３５と回収シュート２３８との接続部には、分岐口から分岐された硬貨を出金シュート２３５または回収シュート２３８に振り分ける切換レバー２３９が配設されている。
【００５２】
図３に示すように、各硬貨収納機構２４２の収納筒２４８内には、当該収納筒２４８内で上下方向に集積される硬貨を下方から支えるステージ２６４が上下方向に移動可能に配置されている。また、図３に示すように、各収納筒２４８の下部には、当該収納筒２４８内にあるステージ２６４を上下方向に移動させるステージ用モータ２６７が設けられている。より詳細には、各硬貨収納機構２４２において、収納筒２４８の長手方向と平行に螺旋軸（図示せず）が配設されており、ステージ用モータ２６７によってこの螺旋軸が回転させられるようになっている。そして、ステージ２６４を支持する支持部が、収納筒２４８の一部に上下方向に沿って形成された溝を通じて螺旋軸に螺合されており、ステージ用モータ２６７の駆動によって螺旋軸が回転することによりステージ２６４が上下方向に移動するようになっている。
【００５３】
また、各硬貨収納機構２４２には、各収納筒２４８内でステージ２６４上に集積された硬貨を、収納済み硬貨と一時保留硬貨とに分離させるセパレータ（図示せず）が設けられている。セパレータは、略Ｌ字状に形成されており、その先端部分が収納筒２４８内に進入した進出位置と、収納筒２４８の側方外部に退避した退避位置との間で水平方向に揺動可能となっている。
【００５４】
また、本実施の形態では、図３に示すように、硬貨処理装置２００の各構成部材を冷却する冷却部として、硬貨処理装置２００の機体内にはファン等の送風機構３２が設けられている。送風機構３２は、硬貨処理装置２００の機体内に風を送ることにより硬貨処理装置２００の各構成部材（具体的には、硬貨繰出ベルト２０４の駆動モータ（図示せず）、硬貨搬送部２２０、識別部２２５、駆動モータ２５８、ステージ用モータ２６７等）を冷却するようになっている。
【００５５】
次に、このような構成からなる貨幣処理機１０の動作について簡単に説明する。具体的には、紙幣処理装置１００および硬貨処理装置２００における紙幣や硬貨の様々な処理内容について説明する。
【００５６】
紙幣処理装置１００では、紙幣の入金処理、補充処理、カセット補充処理、表裏揃え処理、返却処理、出金処理、回収処理、精査処理等の各処理を行うことができるようになっている。具体的には、紙幣の入金処理および補充処理では、紙幣入金口１０２に投入された紙幣が識別部１０８により識別された後、五千円紙幣用集積部１１２、千円紙幣用集積部１１６および一万円紙幣用集積部１１８のうちいずれかの集積部に搬送されてこれらの集積部に集積される。また、紙幣のカセット補充処理では、補充されるべき紙幣が収納された紙幣収納カセット１１０が筐体１２内に収容されると、この紙幣収納カセット１１０に収納されている紙幣が識別部１０８により識別された後、五千円紙幣用集積部１１２、千円紙幣用集積部１１６および一万円紙幣用集積部１１８のうちいずれかの集積部に搬送されてこれらの集積部に集積される。また、紙幣の表裏揃え処理では、上述した紙幣の入金処理および補充処理において、紙幣の表裏が揃えられた状態で千円紙幣用集積部１１６および一万円紙幣用集積部１１８にそれぞれ千円札および一万円札が集積される。また、紙幣の返却処理では、上述した紙幣の入金処理において、五千円紙幣用集積部１１２、千円紙幣用集積部１１６および一万円紙幣用集積部１１８の上方に設けられた各一時保留部に紙幣が一時的に保留された後、入金確定指令ではなく返却指令が紙幣処理装置１００に与えられると、各一時保留部から紙幣搬送部１０６に紙幣が送られ、この紙幣搬送部１０６により紙幣が紙幣出金口１０４に戻される。また、紙幣の出金処理では、千円紙幣用集積部１１６に集積された千円札や一万円紙幣用集積部１１８に集積された一万円札が識別部１０８により識別された後、紙幣出金口１０４に搬送される。また、紙幣の回収処理では、五千円紙幣用集積部１１２、千円紙幣用集積部１１６および一万円紙幣用集積部１１８の各集積部に集積された紙幣が紙幣収納カセット１１０に送られた後、筐体１２から紙幣収納カセット１１０が引き出されることにより当該紙幣収納カセット１１０に収納された紙幣が回収される。また、紙幣の精査処理では、五千円紙幣用集積部１１２、千円紙幣用集積部１１６および一万円紙幣用集積部１１８の各集積部に集積された紙幣が機体内の別の箇所に一旦送られた後、再び各集積部に戻され、この際に識別部１０８により紙幣の識別が行われることにより各集積部に集積された紙幣の在高の確認が行われる。
【００５７】
硬貨処理装置２００では、硬貨の入金計数処理、収納処理、返却処理、補充処理、出金処理、回収処理、精査処理等の各処理を行うことができるようになっている。具体的には、紙幣の入金計数処理では、硬貨入金口２０２に投入された硬貨が識別部２２５により識別された後、硬貨収納機構２４２の収納筒２４８内におけるセパレータ上の一時保留部に一時的に保留される。また、硬貨の収納処理では、硬貨収納機構２４２の収納筒２４８においてセパレータがこの収納筒２４８内から退避することによりセパレータ上の一時保留部に一時的に保留された硬貨が当該収納筒２４８内のステージ２６４上に集積されて収納済み硬貨となる。また、硬貨の返却処理では、硬貨収納機構２４２の収納筒２４８内におけるセパレータ上の一時保留部に一時的に保留された硬貨が搬送通路２１４に繰り出された後、硬貨出金ボックス２３６に払い出されて返却される。また、硬貨の補充処理では、硬貨入金口２０２に投入された硬貨が識別部２２５により識別された後、硬貨収納機構２４２の収納筒２４８内におけるステージ２６４上に集積されて収納済み硬貨となる。また、硬貨の出金処理では、硬貨収納機構２４２の収納筒２４８内に収納されている硬貨が搬送通路２１４に繰り出された後、硬貨出金ボックス２３６に払い出される。また、硬貨の回収処理では、硬貨収納機構２４２の収納筒２４８内に収納されている硬貨が搬送通路２１４に繰り出された後、硬貨回収カセット２３７に送られて回収される。また、硬貨の精査処理では、硬貨収納機構２４２の収納筒２４８内に収納されている硬貨が硬貨入金口２０２に一旦送られた後、収納筒２４８に再び戻され、この際に識別部２２５により硬貨の識別が行われることにより各収納筒２４８に収納された硬貨の在高の確認が行われる。
【００５８】
次に、このような構成からなる貨幣処理機１０の制御系の構成について図５に示す機能ブロック図を用いて説明する。本実施の形態では、紙幣処理装置１００や硬貨処理装置２００の各構成部材の制御を行う制御部２０が設けられており、上述した紙幣や硬貨の各処理は制御部２０が紙幣処理装置１００や硬貨処理装置２００の各構成部材を制御することにより行われるようになっている。より詳細には、図５に示すように、制御部２０には、紙幣処理装置１００の紙幣搬送部１０６、識別部１０８、五千円紙幣用集積部１１２、千円紙幣用集積部１１６、一万円紙幣用集積部１１８および送風機構３０、ならびに硬貨処理装置２００の硬貨繰出ベルト２０４、硬貨搬送部２２０、識別部２２５、リジェクト分岐部２２７、出金分岐部２３３、切換レバー２３９、収納分岐部２４１、駆動モータ２５８、ステージ用モータ２６７および送風機構３２がそれぞれ通信可能に接続されている。そして、紙幣処理装置１００の識別部１０８や硬貨処理装置２００の識別部２２５による紙幣や硬貨の識別情報が制御部２０に送信されるとともに、制御部２０から紙幣処理装置１００の紙幣搬送部１０６、五千円紙幣用集積部１１２、千円紙幣用集積部１１６、一万円紙幣用集積部１１８および送風機構３０、ならびに硬貨処理装置２００の硬貨繰出ベルト２０４、硬貨搬送部２２０、リジェクト分岐部２２７、出金分岐部２３３、切換レバー２３９、収納分岐部２４１、駆動モータ２５８、ステージ用モータ２６７および送風機構３２の各構成部材に指令信号が送られることによりこれらの各構成部材の制御が行われるようになっている。
【００５９】
また、図５に示すように、貨幣処理機１０の制御部２０には稼働状態検知部２２および記憶部２４がそれぞれ通信可能に接続されている。稼働状態検知部２２は、紙幣処理装置１００や硬貨処理装置２００の各構成部材の稼働状態を検知するようになっている。具体的には、稼働状態検知部２２は、紙幣処理装置１００や硬貨処理装置２００の各構成部材の稼働状態として、紙幣や硬貨の処理内容（具体的には、上述した紙幣の入金処理、補充処理、カセット補充処理、表裏揃え処理、返却処理、出金処理、回収処理、精査処理等の各処理、および硬貨の入金計数処理、収納処理、返却処理、補充処理、出金処理、回収処理、精査処理等の各処理）ならびに処理時間を検知するようになっている。また、記憶部２４には、紙幣処理装置１００や硬貨処理装置２００による紙幣や硬貨の処理内容、ならびに紙幣処理装置１００や硬貨処理装置２００における紙幣や硬貨の在高等の情報が記憶されるようになっている。また、本実施の形態では、記憶部２４には、紙幣処理装置１００や硬貨処理装置２００における紙幣や硬貨の各処理内容に対応する単位時間あたりの消費電力に係る情報が記憶されるようになっている。
【００６０】
次に、紙幣処理装置１００および硬貨処理装置２００にそれぞれ設けられた冷却部による冷却状態（具体的には、送風機構３０および送風機構３２の送風状態）について図６Ａに示すグラフを用いて説明する。図６Ａに示すように、貨幣処理機１０が待機中である場合には、すなわち紙幣処理装置１００および硬貨処理装置２００がどちらも作動していない場合には、送風機構３０および送風機構３２はそれぞれ比較的小さな送風量で紙幣処理装置１００や硬貨処理装置２００の機体内に風を送るような待機運転を行う。このような待機運転における送風機構３０や送風機構３２の送風量の大きさをａとする。一方、貨幣処理機１０が運転中である場合には、すなわち紙幣処理装置１００や硬貨処理装置２００が作動している場合には、送風機構３０や送風機構３２はそれぞれ比較的大きな送風量で紙幣処理装置１００や硬貨処理装置２００の機体内に風を送るような装置稼働中運転を行う。このような装置稼働中運転における送風機構３０や送風機構３２の送風量の大きさｃは、上述した待機運転における送風機構３０や送風機構３２の送風量の大きさａよりも大きくなる。
【００６１】
また、本実施の形態では、貨幣処理機１０が運転を停止した後、送風機構３０や送風機構３２はしばらくの間、貨幣処理後運転を行う。このような貨幣処理後運転における送風機構３０や送風機構３２の送風量の大きさｂは、上述した装置稼働中運転における送風機構３０や送風機構３２の送風量の大きさｃよりも小さく、また、上述した待機運転における送風機構３０や送風機構３２の送風量の大きさａよりも大きくなる。また、貨幣処理後運転が行われる時間（図６Ａにおいて時刻ｔ２から時刻ｔ３までの時間）は予め設定されている。具体的には、貨幣処理後運転が行われる時間は例えば５分となっている。
【００６２】
本実施の形態では、制御部２０は、貨幣処理後運転が行われる際に、稼働状態検知部２２により検知された紙幣処理装置１００や硬貨処理装置２００の各構成部材の稼働状態に基づいて冷却部による冷却状態を調整するようになっている。具体的には、制御部２０は、貨幣処理後運転が行われる際に、稼働状態検知部２２により検知された紙幣処理装置１００や硬貨処理装置２００の各構成部材の稼働状態に基づいて送風機構３０や送風機構３２の送風状態を調整するようになっている。より詳細に説明すると、制御部２０は、貨幣処理後運転が行われる際に、稼働状態検知部２２により検知された紙幣や硬貨の処理内容および処理時間に基づいて送風機構３０や送風機構３２の送風状態を調整するようになっている。このような送風機構３０や送風機構３２の送風状態の調整方法の具体的内容について以下に述べる。
【００６３】
前述したように、記憶部２４には、紙幣や硬貨の各処理内容に対応する単位時間あたりの消費電力に係る情報が記憶されるようになっている。具体的には、例えば、紙幣の入金処理における単位時間あたりの消費電力は１３０Ｗ、紙幣の出金処理における単位時間あたりの消費電力は１２０Ｗ、紙幣の回収処理における単位時間あたりの消費電力は１２０Ｗ、硬貨の入金処理における単位時間あたりの消費電力は７０Ｗ、硬貨の出金処理における単位時間あたりの消費電力は７０Ｗ、等の情報が記憶部２４に記憶されている。そして、制御部２０は、紙幣処理装置１００や硬貨処理装置２００において紙幣や硬貨の各種処理が行われた後、記憶部２４に記憶された上記の情報と、紙幣処理装置１００や硬貨処理装置２００の動作時間とに基づいて、紙幣処理装置１００や硬貨処理装置２００における蓄熱量を計算する。具体的には、蓄熱量は、紙幣や硬貨の各種処理に対応する単位時間あたりの消費電力×動作時間×蓄熱率の計算式で算出される。ここで、蓄熱率は、紙幣処理装置１００および硬貨処理装置２００の各々に対応して所定の値が設定されている。具体的には、例えば、単位時間あたりの消費電力が１２０Ｗであり、動作時間が５分であり、蓄熱率が０．２である場合には、蓄熱量は、１２０Ｗ×（５×６０）×０．２＝７２００（Ｊ）となる。
【００６４】
また、制御部２０は、上記の蓄熱量に基づいて送風機構３０や送風機構３２の送風量を算出するようになっている。具体的には、制御部２０は、下記式により送風機構３０や送風機構３２の送風量を算出する。
送風量Ｑ＝（Ｗ＋蓄熱量／廃熱時間）／（△Ｔ×γ×Ｃｐ）
（Ｗ  ：待機時の消費電力（Ｗ）
△Ｔ：許容温度上昇（Ｋ）
γ  ：空気密度（ｋｇ／ｍ３）
Ｃｐ：空気の比熱）
【００６５】
図６Ａに示すグラフにおいて、貨幣処理後運転における送風機構３０や送風機構３２の送風量の大きさｂは、上記の算出式により算出された送風量Ｑの大きさとなる。そして、このような貨幣処理後運転が行われることにより、紙幣処理装置１００や硬貨処理装置２００において紙幣や硬貨の処理が行われた後に紙幣処理装置１００や硬貨処理装置２００の各構成部材が冷却されるようになる。
【００６６】
また、貨幣処理後運転が行われる最中に紙幣処理装置１００や硬貨処理装置２００において紙幣や硬貨の各種処理が再び行われた場合には、上記の廃熱量が蓄積されていき、この蓄積された廃熱量に基づいて上記式により貨幣処理後運転における送風機構３０や送風機構３２の送風量が算出されるようになる。このような動作について図６Ｂに示すグラフを用いて説明する。図６Ｂ（ａ）に示すように時刻ｔ２から時刻ｔ３までの間に貨幣処理後運転が行われている最中に、時刻ｔ４において紙幣処理装置１００や硬貨処理装置２００による紙幣や硬貨の処理が再開され、時刻ｔ５において紙幣処理装置１００や硬貨処理装置２００による紙幣や硬貨の処理が終了した場合には（図６Ｂ（ｂ）参照）、送風機構３０や送風機構３２は時刻ｔ５から貨幣処理後運転を行うようになる。この際に、貨幣処理後運転が行われる時間は、時刻ｔ４から時刻ｔ５までの間における紙幣処理装置１００や硬貨処理装置２００の稼働により加熱した各構成部材を冷却するための時間（具体的には、時刻ｔ５から時刻ｔ６までの時間）に加えて、時刻ｔ１から時刻ｔ２までの間における紙幣処理装置１００や硬貨処理装置２００の稼働により加熱した各構成部材を冷却するための時間のうち既に貨幣処理後運転を行った時間（すなわち、時刻ｔ２から時刻ｔ４までの時間）を差し引いた時間分だけ追加の貨幣処理後運転を行う。すなわち、時刻ｔ６から時刻ｔ７までの間、送風機構３０や送風機構３２は追加の貨幣処理後運転を時刻ｔ４から時刻ｔ３までの時間分だけ行うようになる。
【００６７】
本実施の形態では、貨幣処理機１０において紙幣処理装置１００の機体内の空間と硬貨処理装置２００の機体内の空間とが仕切り板等により仕切られている場合には、制御部２０は、紙幣処理装置１００および硬貨処理装置２００について互いから独立して送風機構３０、３２の送風状態を調整するようになっている。具体的には、制御部２０は、紙幣処理装置１００および硬貨処理装置２００についてそれぞれ廃熱量を算出し、これらの廃熱量に基づいて送風機構３０および送風機構３２の送風量を互いから独立して算出する。例えば、紙幣処理装置１００において紙幣の処理が行われたが硬貨処理装置２００において硬貨の処理が行われていない場合には、紙幣処理装置１００に設けられた送風機構３０は装置稼働中運転を行った後に貨幣処理後運転を行うが、硬貨処理装置２００に設けられた送風機構３２は待機運転をずっと行うようになる。
【００６８】
また、貨幣処理機１０において紙幣処理装置１００の機体内の空間と硬貨処理装置２００の機体内の空間とが連通している場合には、制御部２０は、紙幣処理装置１００および硬貨処理装置２００における廃熱量の合計量を算出し、この廃熱量の合計量に基づいて送風機構３０および送風機構３２の送風量をそれぞれ算出する。また、貨幣処理機１０において紙幣処理装置１００の機体内の空間と硬貨処理装置２００の機体内の空間とが連通している場合には、紙幣処理装置１００および硬貨処理装置２００にそれぞれ送風機構３０、３２を設ける必要はなく、いずれか一方の装置に送風機構が１つだけ設けられるようにしてもよい。
【００６９】
以上のような構成からなる本実施の形態の貨幣処理機１０によれば、紙幣処理装置１００や硬貨処理装置２００の各構成部材（処理部）の稼働状態を検知する稼働状態検知部２２が設けられており、制御部２０は、貨幣処理後運転が行われる際に、稼働状態検知部２２により検知された紙幣処理装置１００や硬貨処理装置２００の各構成部材の稼働状態に基づいて冷却部による冷却状態を調整するようになっている。具体的には、制御部２０は、稼働状態検知部２２により検知された紙幣処理装置１００や硬貨処理装置２００の各構成部材の稼働状態に基づいて送風機構３０や送風機構３２の送風状態を調整するようになっている。この場合には、紙幣処理装置１００や硬貨処理装置２００の内部の温度を検出する温度センサを用いるような従来技術の方法と比較して、紙幣処理装置１００や硬貨処理装置２００の各構成部材の稼働状態に基づいて冷却部を必要最小限の冷却状態で駆動することができ（すなわち、送風機構３０や送風機構３２を必要最小限の送風状態で駆動することができ）、よって静音化を図るとともに消費電力を低減することができる。
【００７０】
また、本実施の形態の貨幣処理機１０においては、上述したように、稼働状態検知部２２は、紙幣処理装置１００や硬貨処理装置２００の各構成部材の稼働状態として紙幣や硬貨の処理内容および処理時間を検知するようになっており、制御部２０は、貨幣処理後運転が行われる際に、稼働状態検知部２２により検知された、紙幣や硬貨の処理内容および処理時間に基づいて冷却部による冷却状態を調整する（具体的には、送風機構３０や送風機構３２の送風状態を調整する）ようになっている。また、この際に、制御部２０は、稼働状態検知部２２により検知された紙幣や硬貨の処理内容および処理時間と、記憶部２４に記憶された単位時間あたりの消費電力に係る情報とに基づいて蓄熱量を算出し、貨幣処理後運転が行われる際に、この蓄熱量に基づいて冷却部による冷却状態を調整する（具体的には、送風機構３０や送風機構３２の送風状態を調整する）ようになっていてもよい。この場合には、紙幣処理装置１００や硬貨処理装置２００における蓄熱量を用いて冷却部による冷却状態を調整するため、紙幣処理装置１００や硬貨処理装置２００の状態に基づいて冷却部による冷却状態の調整をより精度良く行うことができるようになる。
【００７１】
なお、本実施の形態による貨幣処理機１０は、上述したような態様に限定されることはなく、様々な変更を加えることができる。
【００７２】
例えば、紙幣処理装置１００や硬貨処理装置２００の各構成部材を冷却する冷却部は、これらの紙幣処理装置１００や硬貨処理装置２００の機体内に風を送る送風機構３０、３２に限定されることはない。紙幣処理装置１００や硬貨処理装置２００の各構成部材を冷却する冷却部として、紙幣処理装置１００や硬貨処理装置２００の機体内の空気を排気することによりこれらの紙幣処理装置１００や硬貨処理装置２００の各構成部材を冷却する換気扇等の排気機構（図示せず）が用いられてもよい。この場合、制御部２０は、貨幣処理後運転が行われる際に、稼働状態検知部２２により検知された紙幣処理装置１００や硬貨処理装置２００の各構成部材の稼働状態に基づいて排気機構の排気状態を調整するようになる。具体的には、制御部２０は、貨幣処理後運転が行われる際に、排気機構の排気状態として排気時間および／または排気量を調整するようになる。また、冷却部として、上述した送風機構３０、３２および排気機構を組み合わせたものが用いられてもよい。
【００７３】
また、上記の説明では貨幣処理後運転が行われる時間が予め所定の値に設定されている例について述べたが、このような例に限定されることはない。他の例では、制御部２０は、貨幣処理後運転が行われる際に、稼働状態検知部２２により検知された紙幣処理装置１００や硬貨処理装置２００の各構成部材の稼働状態に基づいて送風機構３０や送風機構３２の送風量のみならず送風時間も調整するようになっていてもよい。また、貨幣処理後運転が行われる際における送風機構３０や送風機構３２の送風量を一定の大きさとし、稼働状態検知部２２により検知された紙幣処理装置１００や硬貨処理装置２００の各構成部材の稼働状態に基づいて送風機構３０や送風機構３２の送風時間を変えるようにしてもよい。
【００７４】
また、更に他の例では、制御部２０は、貨幣処理後運転が行われる際に、稼働していた装置の種類（すなわち、紙幣処理装置１００または硬貨処理装置２００）および処理時間に基づいて冷却部による冷却状態（具体的には、送風機構３０や送風機構３２の送風状態）を制御するようになっていてもよい。具体的には、稼働状態検知部２２は、稼働していた装置の種類および処理時間を検知するようになっており、制御部２０は、貨幣処理後運転が行われる際に、稼働状態検知部２２により検知された、装置の種類および処理時間に基づいて冷却部による冷却状態を制御するようになっていてもよい。この場合には、記憶部２４には、紙幣処理装置１００や硬貨処理装置２００毎に単位時間あたりの消費電力に係る情報が記憶されるようになる。そして、制御部２０は、稼働状態検知部２２により検知された、装置の種類および処理時間と、記憶部２４に記憶された装置毎の単位時間あたりの消費電力に係る情報とに基づいて各装置の蓄熱量を算出し、貨幣処理後運転が行われる際に、この蓄熱量に基づいて冷却部による冷却状態を制御するようになる。なお、この場合には、制御部２０は、紙幣処理装置１００と硬貨処理装置２００とで異なる冷却状態となるよう冷却部による冷却状態を調整するようになる。
【００７５】
また、本発明は、図１に示すような紙幣処理装置１００および硬貨処理装置２００を備えた貨幣処理機１０以外の様々な装置にも適用することができる。例えば、本発明を図７乃至図９に示すような貨幣釣銭機に適用してもよい。このような貨幣釣銭機の構成について以下に説明する。
【００７６】
図７等に示すように、本発明が適用可能な貨幣釣銭機は、左右に並べて配置された硬貨釣銭機４００および紙幣釣銭機５００を備えている。また、硬貨釣銭機４００および紙幣釣銭機５００の上方には、これらの硬貨釣銭機４００および紙幣釣銭機５００の管理を行うＰＯＳレジスタ６００が配置されるようになっている。
【００７７】
図８に示すように、硬貨釣銭機４００は、上位制御部４２０および硬貨釣銭機制御部４３０を有しており、これらの上位制御部４２０および硬貨釣銭機制御部４３０は通信可能に接続されている。また、紙幣釣銭機５００は紙幣釣銭機制御部５３０を有しており、この紙幣釣銭機制御部５３０は硬貨釣銭機４００の上位制御部４２０に通信可能に接続されている。また、ＰＯＳレジスタ６００はＰＯＳ制御部６３０を有しており、硬貨釣銭機４００の上位制御部４２０はＰＯＳレジスタ６００のＰＯＳ制御部６３０に通信可能に接続されている。
【００７８】
まず、硬貨釣銭機４００の構成について具体的に説明する。図７に示すように、硬貨釣銭機４００は、前部上面にタッチパネル等の操作表示部４１２が設けられた筐体４１０を備えている。筐体４１０の前部には硬貨受入部４１４および硬貨払出部４１６が設けられている。
【００７９】
硬貨受入部４１４は、投入された硬貨を検知すると駆動され、受け入れた硬貨を１層１列状態で１枚ずつ機体内に取り込むようになっている。図８に示すように、この硬貨受入部４１４には、当該硬貨受入部４１４により機体内に取り込まれた硬貨を搬送する入金搬送部４０３が接続されている。
【００８０】
図８に示すように、入金搬送部４０３の途中には、硬貨の識別を行う硬貨識別部４０１と、分岐部４０４とがそれぞれ設けられている。分岐部４０４は、硬貨識別部４０１による硬貨の識別結果に基づいて、リジェクト硬貨等の、硬貨払出部４１６から払い出されるべき硬貨を出金搬送部４０８へ案内（搬送）するようになっている。
【００８１】
一方、正常硬貨等の機体内に収納されるべき硬貨は入金搬送部４０３により硬貨収納部４０６へ搬送されるようになっている。硬貨収納部４０６は硬貨を金種別に収納するようになっている。具体的には、例えば入金搬送部４０３の上流側から高額順に硬貨が収納される。
【００８２】
出金搬送部４０８は、硬貨収納部４０６から繰り出された硬貨を硬貨払出部４１６へ搬送するようになっている。また、出金搬送部４０８は、分岐部４０４から案内されたリジェクト硬貨等を硬貨払出部４１６へ搬送するようになっている。
【００８３】
また、図８に示すように、硬貨釣銭機４００の各構成部材を冷却する冷却部として、硬貨釣銭機４００の機体内にはファン等の送風機構４９０が設けられている。送風機構４９０は、硬貨釣銭機４００の機体内に風を送ることにより硬貨釣銭機４００の各構成部材（具体的には、硬貨受入部４１４、入金搬送部４０３、硬貨識別部４０１、分岐部４０４、硬貨収納部４０６、出金搬送部４０８等）を冷却するようになっている。
【００８４】
次に、紙幣釣銭機５００の構成について具体的に説明する。図７および図８に示すように、紙幣釣銭機５００は、筐体５１０と、この筐体５１０内の略中央部に設けられた環状の周回搬送部５０３ａとを備えている。また、紙幣受入部５１４、３つの紙幣収納部５０６、紙幣払出部５１６、出金リジェクト部５０４、および紙幣回収カセット５０７が、周回搬送部５０３ａを外周から取り囲むように配置されている。
【００８５】
また、紙幣釣銭機５００の筐体５１０の内部には、紙幣受入部５１４、各紙幣収納部５０６、紙幣払出部５１６、出金リジェクト部５０４、および紙幣回収カセット５０７と、周回搬送部５０３ａとの間をそれぞれ接続する複数の接続搬送部５０３ｂが形成されている。また、周回搬送部５０３ａには紙幣識別部５０１が設けられており、この紙幣識別部５０１は、当該紙幣識別部５０１を通過する紙幣の識別を行うようになっている。
【００８６】
また、周回搬送部５０３ａと各接続搬送部５０３ｂとの間で紙幣の搬送経路を切り換える経路切換部（図示せず）が、周回搬送部５０３ａに沿って配置されている。
【００８７】
図７および図８に示すように、筐体５１０の前面には、紙幣受入部５１４の紙幣受入口５１４ａと、紙幣払出部５１６の紙幣取出口５１６ａとがそれぞれ設けられている。また、紙幣回収カセット５０７は筐体５１０に対して着脱可能に取り付けられている。
【００８８】
紙幣受入部５１４は、投入された紙幣を検知すると駆動され、紙幣受入口５１４ａに挿入された入金紙幣を一括で取り込んで、周回搬送部５０３ａ側へ１枚ずつ繰り出すようになっている。各紙幣収納部５０６は、紙幣識別部５０１の識別結果に基づいて紙幣を金種別に収納する。紙幣払出部５１６は、各紙幣収納部５０６から周回搬送部５０３ａに繰り出された紙幣を紙幣取出口５１６ａより機外へ放出するようになっている。
【００８９】
出金リジェクト部５０４は、紙幣収納部５０６から繰り出された紙幣のうち、斜行等の搬送異常により紙幣識別部５０１で識別することができない紙幣を出金リジェクト紙幣として収納する。また、紙幣受入部５１４から機体内に取り込まれた紙幣のうち、汚損等により紙幣識別部５０１で識別することができない紙幣は入金リジェクト紙幣として紙幣払出部５１６に返却されるようになっている。
【００９０】
また、図８に示すように、紙幣釣銭機５００の各構成部材を冷却する冷却部として、紙幣釣銭機５００の機体内にはファン等の送風機構５９０が設けられている。送風機構５９０は、紙幣釣銭機５００の機体内に風を送ることにより紙幣釣銭機５００の各構成部材（具体的には、紙幣受入部５１４、周回搬送部５０３ａ、接続搬送部５０３ｂ、紙幣識別部５０１、紙幣収納部５０６、出金リジェクト部５０４、紙幣払出部５１６等）を冷却するようになっている。
【００９１】
ＰＯＳレジスタ６００のＰＯＳ制御部６３０は、図８に示すように、硬貨釣銭機４００の上位制御部４２０に通信可能に接続されているとともに、店舗サーバ（図示せず）にも通信接続されている。そして、このＰＯＳ制御部６３０は、硬貨釣銭機４００の上位制御部４２０を介して当該硬貨釣銭機４００の硬貨釣銭機制御部４３０や紙幣釣銭機５００の紙幣釣銭機制御部５３０に指令を送ることにより硬貨釣銭機４００や紙幣釣銭機５００に対して硬貨や紙幣の入出金処理を行わせるようになっている。また、ＰＯＳ制御部６３０は、硬貨釣銭機４００の硬貨釣銭機制御部４３０や紙幣釣銭機５００の紙幣釣銭機制御部５３０から、上位制御部４２０を介して、硬貨釣銭機４００や紙幣釣銭機５００における硬貨や紙幣の処理状況に係る情報を受け取るようになっている。
【００９２】
操作部６０４は、操作者が操作することができるようになっており、ＰＯＳ制御部６３０に対して様々な指令を与えることができるようになっている。また、表示部６０２は、硬貨釣銭機４００や紙幣釣銭機５００における硬貨や紙幣の処理状況や、硬貨釣銭機４００や紙幣釣銭機５００の内部に収納された硬貨や紙幣の在高を表示するようになっている。また、ＰＯＳレジスタ６００には客（購入者）が視認可能な追加の表示部６０２ａが設けられており、様々な情報を表示部６０２に表示させる代わりに、あるいは表示部６０２における表示に加えて、追加の表示部６０２ａにおいて表示が行われるようになっていてもよい。また、ＰＯＳレジスタ６００にはカードリーダ６３６および印字部６３８が設けられている（図９参照、図７および図８では図示せず）。カードリーダ６３６は、操作者のＩＤカードを読み取ることにより操作者のＩＤや権限等に関する情報を取得するようになっている。また、印字部６３８は例えばプリンタから構成され、売上レシートや集計レシートに加えて、硬貨釣銭機４００や紙幣釣銭機５００に収納された硬貨や紙幣の在高等の様々な情報を印字するようになっている。
【００９３】
図９に、上述のような構成からなる貨幣釣銭機やＰＯＳレジスタ６００の機能ブロック図を示す。図９に示すように、硬貨釣銭機４００の上位制御部４２０には、硬貨釣銭機４００のインターフェース４３２、操作表示部４１２および記憶部４３４が通信可能に接続されている。この上位制御部４２０は、インターフェース４３２により、紙幣釣銭機５００の紙幣釣銭機制御部５３０やＰＯＳレジスタ６００のＰＯＳ制御部６３０に対して信号の送受信を行うようになっている。また、操作者により操作表示部４１２に入力された指令が当該操作表示部４１２から上位制御部４２０に送られるとともに、上位制御部４２０は操作表示部４１２に指令を送ることにより当該操作表示部４１２に様々な情報を表示させるようになっている。より詳細には、操作表示部４１２には、硬貨釣銭機４００や紙幣釣銭機５００における硬貨や紙幣の処理状況や、硬貨釣銭機４００や紙幣釣銭機５００の内部に収納された硬貨や紙幣の在高が表示されるようになっている。また、記憶部４３４には、硬貨釣銭機４００や紙幣釣銭機５００における硬貨や紙幣の処理状況や、硬貨釣銭機４００や紙幣釣銭機５００の内部に収納された硬貨や紙幣の在高等の様々な情報が記憶されるようになっている。また、記憶部４３４には、硬貨釣銭機４００や紙幣釣銭機５００の各構成部材による紙幣や硬貨の各処理内容に対応する単位時間あたりの消費電力に係る情報が記憶されるようになっている。
【００９４】
また、図９に示すように、硬貨釣銭機４００の上位制御部４２０には稼働状態検知部４３８が通信可能に接続されている。稼働状態検知部４３８は、硬貨釣銭機４００や紙幣釣銭機５００の各構成部材の稼働状態を検知するようになっている。具体的には、稼働状態検知部４３８は、硬貨釣銭機４００や紙幣釣銭機５００の各構成部材の稼働状態として、紙幣や硬貨の処理内容（具体的には、後述する硬貨の入金処理や出金処理等の各処理、および紙幣の入金処理や出金処理等の各処理）ならびに処理時間を検知するようになっている。
【００９５】
また、硬貨釣銭機４００の上位制御部４２０には集計部４３６が通信可能に接続されている。集計部４３６は、硬貨釣銭機４００や紙幣釣銭機５００に収納されている硬貨や紙幣の在高の合計金額を集計するようになっている。
【００９６】
硬貨釣銭機４００の硬貨釣銭機制御部４３０には、硬貨受入部４１４、入金搬送部４０３、硬貨識別部４０１、分岐部４０４、硬貨収納部４０６、出金搬送部４０８、硬貨払出部４１６、送風機構４９０等がそれぞれ通信可能に接続されており、硬貨識別部４０１から硬貨釣銭機制御部４３０に硬貨の識別結果が送られるとともに、硬貨釣銭機制御部４３０から硬貨受入部４１４、入金搬送部４０３、分岐部４０４、硬貨収納部４０６、出金搬送部４０８、硬貨払出部４１６、送風機構４９０等の各々に対して様々な指令が送られるようになっている。
【００９７】
紙幣釣銭機５００の紙幣釣銭機制御部５３０には、インターフェース５３２、紙幣受入部５１４、周回搬送部５０３ａ、接続搬送部５０３ｂ、紙幣識別部５０１、紙幣収納部５０６、出金リジェクト部５０４、紙幣払出部５１６、送風機構５９０等がそれぞれ通信可能に接続されており、紙幣識別部５０１から紙幣釣銭機制御部５３０に紙幣の識別結果が送られるとともに、紙幣釣銭機制御部５３０から紙幣受入部５１４、周回搬送部５０３ａ、接続搬送部５０３ｂ、紙幣収納部５０６、出金リジェクト部５０４、紙幣払出部５１６、送風機構５９０等の各々に対して様々な指令が送られるようになっている。また、紙幣釣銭機５００の紙幣釣銭機制御部５３０は、インターフェース５３２により、硬貨釣銭機４００の上位制御部４２０に対して信号の送受信を行うようになっている。
【００９８】
また、ＰＯＳレジスタ６００のＰＯＳ制御部６３０には、表示部６０２、操作部６０４、記憶部６３４、インターフェース６３２、カードリーダ６３６、印字部６３８等がそれぞれ通信可能に接続されており、操作者により操作部６０４に入力された指令が当該操作部６０４からＰＯＳ制御部６３０に送られたり、カードリーダ６３６により読み取られた操作者のＩＤカードに係る情報がＰＯＳ制御部６３０に送られたりするようになっている。また、ＰＯＳ制御部６３０は表示部６０２に指令を送ることにより当該表示部６０２に様々な情報を表示させるようになっている。なお、ＰＯＳ制御部６３０は、表示部６０２に様々な情報を表示させる代わりに、あるいは表示部６０２における表示に加えて、追加の表示部６０２ａにおいて表示を行わせるようになっていてもよい。また、ＰＯＳ制御部６３０は印字部６３８に指令を送ることにより当該印字部６３８により様々な情報を印字させるようになっている。また、ＰＯＳレジスタ６００のＰＯＳ制御部６３０は、インターフェース６３２により、硬貨釣銭機４００の上位制御部４２０や店舗サーバ（図示せず）に対して信号の送受信を行うようになっている。また、記憶部６３４には、硬貨釣銭機４００や紙幣釣銭機５００から送信された、硬貨釣銭機４００や紙幣釣銭機５００における硬貨や紙幣の処理状況や、硬貨釣銭機４００や紙幣釣銭機５００の内部に収納された硬貨や紙幣の在高等の様々な情報が記憶されるようになっている。
【００９９】
次に、このような構成からなる貨幣釣銭機の動作について説明する。なお、以下に示す貨幣釣銭機の動作は、硬貨釣銭機４００の硬貨釣銭機制御部４３０や紙幣釣銭機５００の紙幣釣銭機制御部５３０が硬貨釣銭機４００や紙幣釣銭機５００の各構成部材をそれぞれ制御することにより行われる。
【０１００】
まず、硬貨釣銭機４００に硬貨を入金する場合の動作について以下に説明する。硬貨釣銭機４００の硬貨受入部４１４に硬貨が受け入れられると、硬貨受入部４１４は、受け入れた硬貨を１層１列状態で１枚ずつ機体内に取り込み、取り込まれた硬貨は入金搬送部４０３により搬送される。そして、入金搬送部４０３により搬送される硬貨は硬貨識別部４０１により硬貨の識別が行われる。硬貨識別部４０１による硬貨の識別結果に基づいて、リジェクト硬貨等の、硬貨払出部４１６から払い出されるべき硬貨であると識別された硬貨は、分岐部４０４により出金搬送部４０８へ案内（搬送）され、出金搬送部４０８により硬貨払出部４１６に搬送される。一方、硬貨識別部４０１による硬貨の識別結果に基づいて、正常硬貨等の機体内に収納されるべき硬貨であると識別された硬貨は、入金搬送部４０３により硬貨収納部４０６へ搬送され、当該硬貨収納部４０６に金種別に収納される。
【０１０１】
また、硬貨釣銭機４００から釣銭としての硬貨を出金する場合には、操作者は操作表示部４１２により出金されるべき硬貨の金種別の枚数や合計金額等を入力する。あるいは、ＰＯＳレジスタ６００のＰＯＳ制御部６３０から出金指令が上位制御部４２０を介して硬貨釣銭機制御部４３０に送られることにより、硬貨釣銭機４００から釣銭としての硬貨が出金されるようになる。硬貨釣銭機制御部４３０に対して出金指令が与えられると、硬貨収納部４０６に収納されている硬貨が当該硬貨収納部４０６から繰り出され、繰り出された硬貨は出金搬送部４０８により硬貨払出部４１６へ搬送される。このようにして、操作者は、硬貨払出部４１６から硬貨を取り出すことができるようになる。
【０１０２】
次に、紙幣釣銭機５００に紙幣を入金する場合の動作について以下に説明する。紙幣受入部５１４の紙幣受入口５１４ａに紙幣が挿入されると、紙幣受入部５１４は、紙幣受入口５１４ａに挿入された入金紙幣を一括で取り込んで、周回搬送部５０３ａ側へ１枚ずつ繰り出す。そして、周回搬送部５０３ａ側へ繰り出された紙幣は当該周回搬送部５０３ａにより搬送され、この際に紙幣識別部５０１により紙幣の識別が行われる。紙幣識別部５０１により正常な紙幣であると識別された紙幣は、各紙幣収納部５０６に金種別に収納される。一方、紙幣受入部５１４から取り込まれた紙幣のうち、汚損や搬送異常等により紙幣識別部５０１で識別することができない紙幣は入金リジェクト紙幣として紙幣払出部５１６に返却される。
【０１０３】
また、当該紙幣釣銭機５００から釣銭としての紙幣を出金する場合には、操作者は操作表示部４１２により出金されるべき紙幣の金種別の枚数や合計金額等を入力する。あるいは、ＰＯＳレジスタ６００のＰＯＳ制御部６３０から出金指令が上位制御部４２０を介して紙幣釣銭機制御部５３０に送られることにより、紙幣釣銭機５００から釣銭としての紙幣が出金されるようになる。紙幣釣銭機制御部５３０に対して出金指令が与えられると、紙幣収納部５０６に収納されている紙幣が当該紙幣収納部５０６から繰り出され、繰り出された紙幣は紙幣識別部５０１により識別された後、周回搬送部５０３ａにより紙幣払出部５１６に送られる。そして、紙幣払出部５１６は、紙幣収納部５０６から送られた紙幣を紙幣取出口５１６ａより筐体５１０外へ放出する。このようにして、操作者は、紙幣釣銭機５００から出金された紙幣を得ることができるようになる。なお、紙幣収納部５０６から繰り出された紙幣のうち、斜行等の搬送異常により紙幣識別部５０１で識別することができない紙幣は、出金リジェクト紙幣として出金リジェクト部５０４に収納される。
【０１０４】
次に、硬貨釣銭機４００および紙幣釣銭機５００にそれぞれ設けられた送風機構４９０および送風機構５９０の送風状態について説明する。硬貨釣銭機４００や紙幣釣銭機５００が待機中である場合には、送風機構４９０および送風機構５９０はそれぞれ比較的小さな送風量で硬貨釣銭機４００や紙幣釣銭機５００の機体内に風を送るような待機運転を行う。一方、硬貨釣銭機４００や紙幣釣銭機５００が運転中である場合には、送風機構４９０や送風機構５９０はそれぞれ比較的大きな送風量で硬貨釣銭機４００や紙幣釣銭機５００の機体内に風を送るような装置稼働中運転を行う。また、硬貨釣銭機４００や紙幣釣銭機５００が運転を停止した後、送風機構４９０や送風機構５９０はしばらくの間、貨幣処理後運転を行う。このような貨幣処理後運転における送風機構４９０や送風機構５９０の送風量の大きさは、上述した装置稼働中運転における送風機構４９０や送風機構５９０の送風量の大きさよりも小さく、また、上述した待機運転における送風機構４９０や送風機構５９０の送風量の大きさよりも大きくなる。
【０１０５】
本実施の形態では、上位制御部４２０は、貨幣処理後運転が行われる際に、稼働状態検知部４３８により検知された硬貨釣銭機４００や紙幣釣銭機５００の各構成部材の稼働状態に基づいて冷却部による冷却状態（具体的には、送風機構４９０や送風機構５９０の送風状態）を調整するようになっている。具体的には、上位制御部４２０は、貨幣処理後運転が行われる際に、稼働状態検知部４３８により検知された、硬貨釣銭機４００や紙幣釣銭機５００における紙幣や硬貨の処理内容および処理時間に基づいて冷却部による冷却状態を調整するようになっている。このような冷却部による冷却状態の調整方法は、上述した貨幣処理機１０における冷却部による冷却状態の調整方法（具体的には、送風機構３０や送風機構３２の送風状態の調整方法）と略同一であるためその説明を省略する。
【０１０６】
図７乃至図９に示すような貨幣釣銭機でも、本発明を適用することにより、硬貨釣銭機４００や紙幣釣銭機５００の各構成部材（処理部）により硬貨や紙幣の処理が行われた後の貨幣処理後運転において、当該貨幣処理後運転が行われる前の硬貨釣銭機４００や紙幣釣銭機５００の各構成部材の稼働状態に基づいて冷却部による冷却状態（具体的には、送風機構４９０や送風機構５９０の送風状態）を調整することにより、冷却部を必要最小限の冷却状態で駆動することができ、よって静音化を図るとともに消費電力を低減することができるようになる。
【０１０７】
また、図７乃至図９に示すような貨幣釣銭機において、硬貨釣銭機４００や紙幣釣銭機５００の各構成部材を冷却する冷却部は、これらの硬貨釣銭機４００や紙幣釣銭機５００の機体内に風を送る送風機構４９０、５９０に限定されることはない。硬貨釣銭機４００や紙幣釣銭機５００の各構成部材を冷却する冷却部として、硬貨釣銭機４００や紙幣釣銭機５００の機体内の空気を排気することによりこれらの硬貨釣銭機４００や紙幣釣銭機５００の各構成部材を冷却する換気扇等の排気機構（図示せず）が用いられてもよい。この場合、上位制御部４２０は、貨幣処理後運転が行われる際に、稼働状態検知部４３８により検知された硬貨釣銭機４００や紙幣釣銭機５００の各構成部材の稼働状態に基づいて排気機構の排気状態を調整するようになる。具体的には、上位制御部４２０は、貨幣処理後運転が行われる際に、排気機構の排気状態として排気時間および／または排気量を調整するようになる。また、冷却部として、上述した送風機構４９０、５９０および排気機構を組み合わせたものが用いられてもよい。
【符号の説明】
【０１０８】
１０      貨幣処理機
１２      筐体
１４      第１の占有ボタン
１６      第２の占有ボタン
２０      制御部
２２      稼働状態検知部
２４      記憶部
３０      送風機構
３２      送風機構
１００    紙幣処理装置
１０２    紙幣入金口
１０４    紙幣出金口
１０６    紙幣搬送部
１０６ａ  搬送路
１０８    識別部
１１０    紙幣収納カセット
１１２    五千円紙幣用集積部
１１４    出金リジェクト部
１１６    千円紙幣用集積部
１１８    一万円紙幣用集積部
２００    硬貨処理装置
２０２    硬貨入金口
２０４    硬貨繰出ベルト
２０５    逆転ローラ
２１４    搬送通路
２２０    硬貨搬送部
２２１    搬送ベルト
２２２    プーリ
２２５    識別部
２２７    リジェクト分岐部
２３１    リジェクトシュート
２３３    出金分岐部
２３５    出金シュート
２３６    硬貨出金ボックス
２３７    硬貨回収カセット
２３８    回収シュート
２３９    切換レバー
２４１    収納分岐部
２４２    硬貨収納機構
２４５    振分ゲート
２４６    案内部材
２４７    硬貨収納部
２４８    収納筒
２４９    押動部材
２５６    回転板
２５８    駆動モータ
２６４    ステージ
２６７    ステージ用モータ
４００    硬貨釣銭機
４０１    硬貨識別部
４０３    入金搬送部
４０４    分岐部
４０６    硬貨収納部
４０８    出金搬送部
４１０    筐体
４１２    操作表示部
４１４    硬貨受入部
４１６    硬貨払出部
４２０    上位制御部
４３０    硬貨釣銭機制御部
４３２    インターフェース
４３４    記憶部
４３６    集計部
４３８    稼働状態検知部
４９０    送風機構
５００    紙幣釣銭機
５０１    紙幣識別部
５０３ａ  周回搬送部
５０３ｂ  接続搬送部
５０４    出金リジェクト部
５０６    紙幣収納部
５０７    紙幣回収カセット
５１０    筐体
５１４    紙幣受入部
５１４ａ  紙幣受入口
５１６    紙幣払出部
５１６ａ  紙幣取出口
５３０    紙幣釣銭機制御部
５３２    インターフェース
５９０    送風機構
６００    ＰＯＳレジスタ
６０２    表示部
６０２ａ  表示部
６０４    操作部
６３０    ＰＯＳ制御部
６３２    インターフェース
６３４    記憶部
６３６    カードリーダ
６３８    印字部
【図１】
2015222516.tif 000003
【図２】
2015222516.tif 000004
【図３】
2015222516.tif 000005
【図４】
2015222516.tif 000006
【図５】
2015222516.tif 000007
【図６Ａ】
2015222516.tif 000008
【図６Ｂ】
2015222516.tif 000009
【図７】
2015222516.tif 000010
【図８】
2015222516.tif 000011
【図９】
2015222516.tif 000012